(57)【要約】【課題】扉の開閉が行われたときに、貯蔵室内の貯蔵食品が冷え過ぎてしまうことを防止することができる冷蔵庫を提供する。【解決手段】冷蔵庫１において、貯蔵室である冷蔵室３の扉３ａの開閉を冷蔵用扉スイッチ３１で検出し、貯蔵室である冷凍室６の扉６ａの開閉を冷凍用扉スイッチ３２で検出する。制御装置は、通常の冷却運転時には圧縮機２２を冷蔵用温度センサ３３および冷凍用温度センサ３４の検出信号に基づいた出力で駆動し、冷蔵室３に冷気を供給する冷蔵用冷却ファン１３および冷凍室６に冷気を供給する冷凍用冷却ファン１９を設定された回転数で駆動し、冷蔵用扉スイッチ３１および冷凍用扉スイッチ３２の検出信号に基づいて扉３ａ、６ａが閉じられたと判断すると、扉が開いていた側の冷蔵用冷却ファン１３または冷凍用冷却ファン１９を下位に設定された回転数で所定時間駆動する。【選択図】図１
2011153788.tif 000002
【特許請求の範囲】
【請求項１】
前面に開口部が形成された貯蔵室と、
前記貯蔵室の開口部を開閉する扉と、
前記扉の開閉を検出する扉スイッチと、
前記貯蔵室内の温度を検出する温度検出手段と、
冷気を生成するための冷却器と、
前記冷却器とともに冷凍サイクルを構成する圧縮機と、
前記冷却器によって生成された冷気を前記貯蔵室内に供給する冷却ファンと、
冷却運転を設定する操作パネルと、
前記操作パネルからの設定信号、前記温度検出手段および前記扉スイッチの検出信号に基づいて前記圧縮機および前記冷却ファンの駆動を制御する制御手段とを具備し、
前記制御手段は、通常の冷却運転時には前記圧縮機を前記温度検出手段の検出信号に基づいた出力の制御を行うとともに前記冷却ファンを設定された回転数で駆動する制御を行い、前記冷却ファンが駆動しているときに前記扉スイッチの検出信号に基づいて前記扉が開いたと判断したときには前記冷却ファンを前記扉が開いている間停止させる制御を行い、前記扉スイッチの検出信号に基づいて前記扉が閉じたと判断したときには前記冷却ファンを下位に設定された回転数で所定時間駆動する制御を行うことを特徴とする冷蔵庫。
【請求項２】
前記制御手段は、前記扉スイッチの検出信号に基づいて前記扉が閉じたと判断したときには前記冷却ファンを前記扉が開く直前の回転数よりも下位の回転数で所定時間駆動する制御を行うことを特徴とする請求項１に記載の冷蔵庫。
【請求項３】
前記制御手段は、前記通常の冷却運転時以外の強制冷却運転時に前記扉が開閉され前記扉スイッチの検出信号に基づいて前記扉が閉じたと判断したときには前記強制冷却運転を続行する制御を行うことを特徴とする請求項１又は２記載の冷蔵庫。
【発明の詳細な説明】
【技術分野】
【０００１】
本発明は、冷却器によって生成された冷気を貯蔵室内に供給する冷却ファンを有する冷蔵庫に関する。
【背景技術】
【０００２】
従来、冷却器によって生成された冷気を貯蔵室内に供給する冷却ファンを有する冷蔵庫においては、使用者が貯蔵室の開口部を開閉する扉を開けると、貯蔵室内の冷気が貯蔵室外へ放出されるとともに冷蔵庫外の暖気が貯蔵室内に入り、貯蔵室内の温度は上昇してしまう。そのため、扉の開閉時に貯蔵室内の温度が極力上昇しない構成の冷蔵庫が提案されている。
【０００３】
例えば特許文献１の冷蔵庫は、扉の開閉に応じて冷却ファンの駆動のオンオフおよび圧縮機の出力の大きさを制御して貯蔵室内の温度を調整している。すなわち、この冷蔵庫は、通常の冷却運転時において扉が閉じているときには圧縮機を所定の出力で駆動するとともに冷却ファンを駆動して貯蔵室内に冷気を供給して貯蔵室内を冷却している。そして、この冷蔵庫は、扉が開かれると、扉が開いている間は冷却ファンを停止して、貯蔵室内の冷気が貯蔵室外に放出されるのを防いでいる。さらに、この冷蔵庫は、その後、扉が閉じられると、扉が開く前の扉の閉時間の長さおよび扉を閉じたときの庫内温度検出手段の検出信号に基づいて圧縮機の出力の大きさを変更している。この構成によって、貯蔵室内は、扉が閉じられた後に早く冷やされる。
【先行技術文献】
【特許文献】
【０００４】
【特許文献１】特開平８−２７１１０５号公報
【発明の概要】
【発明が解決しようとする課題】
【０００５】
特許文献１の冷蔵庫は、扉が閉じられたときに貯蔵室内の温度が高いほど圧縮機を高い出力で駆動している。そのため、貯蔵室内に暖気が一時的に流入した場合に庫内温度検出手段がこの暖気の温度を検出すると、冷蔵庫は圧縮機を高い出力で駆動する。しかしながら、貯蔵室内に一時的に流入した暖気は、貯蔵室内の貯蔵食品自体の温度をそれほど上昇させるものでもない。そのため、貯蔵室内に暖気が一時的に流入したときに、庫内温度センサがこの一時的な暖気の温度を検出して、冷蔵庫が圧縮機を高い出力で駆動すると、貯蔵室内の貯蔵食品が冷え過ぎてしまう不具合がある。
【０００６】
本発明は上記した事情に鑑みてなされたものであり、その目的は、扉の開閉が行われたときに、貯蔵室内の貯蔵食品が冷え過ぎてしまうことを防止することができる冷蔵庫を提供することである。
【課題を解決するための手段】
【０００７】
上記した目的を達成するために、本発明の冷蔵庫は、前面に開口部が形成された貯蔵室と、前記貯蔵室の開口部を開閉する扉と、前記扉の開閉を検出する扉スイッチと、前記貯蔵室内の温度を検出する温度検出手段と、冷気を生成するための冷却器と、前記冷却器とともに冷凍サイクルを構成する圧縮機と、前記冷却器によって生成された冷気を前記貯蔵室内に供給する冷却ファンと、冷却運転を設定する操作パネルと、前記操作パネルからの設定信号、前記温度検出手段および前記扉スイッチの検出信号に基づいて前記圧縮機および前記冷却ファンの駆動を制御する制御手段とを具備し、前記制御手段は、通常の冷却運転時には前記圧縮機を前記温度検出手段の検出信号に基づいた出力の制御を行うとともに前記冷却ファンを設定された回転数で駆動する制御を行い、前記冷却ファンが駆動しているときに前記扉スイッチの検出信号に基づいて前記扉が開いたと判断したときには前記冷却ファンを前記扉が開いている間停止させる制御を行い、前記扉スイッチの検出信号に基づいて前記扉が閉じたと判断したときには前記冷却ファンを下位に設定された回転数で所定時間駆動する制御を行うことを特徴としている。
【発明の効果】
【０００８】
本発明の冷蔵庫によれば、冷却ファンは冷蔵庫の扉が開いている間停止しているので、扉が開いているときに貯蔵室内の冷気が貯蔵室外に放出してしまうことを極力防ぐことができる。そして、扉が閉じられると、冷却ファンは下位に設定された回転数で駆動するので、貯蔵室内に流入した暖気は貯蔵室内を遅い速度で移動して、貯蔵室内で拡散しやすく、貯蔵室内の冷気によって冷やされやすくなる。その結果、貯蔵室内の温度を検出する温度検出手段は、貯蔵室内に流入したときの暖気の温度を一気に検出することはなく、時間遅れをもって該温度よりも低い温度を検出する。したがって、扉が閉じられた後において、貯蔵室内の温度に基づいて駆動する圧縮機の出力は流入した暖気の温度に応じた高さにはならず、これにより、貯蔵室内の貯蔵食品が冷え過ぎてしまうことを防止することができる。
【図面の簡単な説明】
【０００９】
【図１】本発明の第１の実施形態を示す冷蔵庫の縦断側面図
【図２】冷凍サイクルの概略を示す模式図
【図３】電気的な概略構成を示すブロック線図
【図４】冷凍室および冷蔵室の温度と冷却ファンの回転数の関係を概略的に示す図
【図５】冷凍室および冷蔵室の温度と圧縮機の出力の関係を概略的に示す図
【図６】冷凍室および冷蔵室の扉の開閉、冷凍室および冷蔵室の扉スイッチのオンオフ、冷凍用および冷蔵用の冷却ファンのオンオフの関係を示すタイムチャート
【図７】冷蔵庫の冷却運転の制御を示すフローチャート
【図８】温度調整判定制御を示すフローチャート
【図９】温度調整制御を示すフローチャート
【図１０】本発明の第２の実施形態を示す図９相当図
【発明を実施するための形態】
【００１０】
（第１の実施形態）
本発明の第１実施形態の冷蔵庫について、図１〜図９を参照して説明する。図１において扉側を前面側として説明する。
図１に示す冷蔵庫１は、本体２の内部に貯蔵室として上から順に冷蔵室３、製氷室４、野菜室５および冷凍室６を備えている。冷蔵室３および野菜室５は、図示しない通風路で連通されて、庫内温度がともに約１〜４℃に制御される冷蔵温度空間であり、冷蔵温度帯の貯蔵室を構成している。製氷室４および冷凍室６は、図示しない通風路で連通されて、庫内温度がともに冷蔵温度帯の貯蔵室の温度よりも低い冷凍温度空間であり、冷凍温度帯の貯蔵室を構成している。
【００１１】
冷蔵室３、製氷室４、野菜室５および冷凍室６のそれぞれの前面には、開口部が形成されている。冷蔵庫３の開口部には、この開口部を開閉する横開き式の扉３ａが設けられ、製氷室４の開口部には、この開口部を開閉する引き出し式の扉４ａが設けられ、野菜室５の開口部には、この開口部を開閉する引き出し式の扉５ａが設けられ、冷凍室６の開口部には、この開口部を開閉する引き出し式の扉６ａが設けられている。
【００１２】
冷蔵室３の扉３ａの前面には、操作パネル７が設けられている。操作パネル７は、各貯蔵室の温度などを表示する表示器８と、冷却運転の設定・各貯蔵室の設定温度などを入力するためのスイッチ９とを有している。
【００１３】
冷蔵室３の後方には、冷蔵用冷却器室１１が設けられている。冷蔵用冷却器室１１内には、図２にも示すように、冷気を生成するための冷蔵用冷却器１２が設けられている。冷蔵用冷却器１２の上方には、冷蔵用冷却器１２によって生成された冷気を冷蔵室３内および野菜室５内に供給する冷蔵用冷却ファン１３が設けられている。
冷蔵用冷却ファン１３は、図３に示すように、駆動源をなす冷蔵用冷却ファンモータ１３ａを有し、冷蔵用冷却ファン１３の回転数は、冷蔵用冷却ファンモータ１３ａの回転数の大きさで制御されている。冷蔵用冷却ファンモータ１３ａは、例えばブラシレスモータであり、この冷蔵用冷却ファンモータ１３ａの回転数は、図３に示すインバータ回路１３ｂから出力される周波数の大きさで制御されている。
【００１４】
冷蔵室３の奥側で且つ冷蔵用冷却ファン１３の前方には、図１に示すように、背面パネル１４が設けられている。背面パネル１４には、冷蔵用冷却ファン１３から供給された冷気を冷蔵室３内に供給するための冷気吹出口１５と、冷蔵室３内に供給された冷気を冷蔵用冷却器室１１内に戻すための図示しない冷気吸込口とが形成されている。また、野菜室５の側面には、冷蔵用冷却ファン１３からの冷気を野菜室５内に供給するための図示しない冷気吹出口と、野菜室５内に供給された冷気を冷蔵用冷却器室１１内に戻すための図示しない冷気吸込口とが形成されている。
【００１５】
野菜室５の後方には、冷凍用冷却器室１７が設けられている。冷凍用冷却器室１７内には、図２にも示すように、冷気を生成するための冷凍用冷却器１８が設けられている。冷凍用冷却器１８の上方には、冷凍用冷却器１８によって生成された冷気を製氷室４内および冷凍室６内に供給する冷凍用冷却ファン１９が設けられている。
冷凍用冷却ファン１９は、図３に示すように、駆動源をなす冷凍用冷却ファンモータ１９ａを有し、冷凍用冷却ファン１９の回転数は、冷凍用冷却ファンモータ１９ａの回転数の大きさで制御されている。冷凍用冷却ファンモータ１９ａは、例えばブラシレスモータであり、この冷凍用冷却ファンモータ１９ａの回転数は、図３に示すインバータ回路１９ｂから出力される周波数の大きさで制御されている。
【００１６】
上記の冷却ファンである冷蔵用冷却ファン１３および冷凍用冷却ファン１９の回転数と貯蔵室内の温度の関係を図４に示す。図４の横軸は貯蔵室内の温度であり、縦軸は貯蔵室内の温度に対応した冷却ファンの回転数である。本実施形態では、貯蔵室が冷蔵室３の場合には冷却ファンとして冷蔵用冷却ファン１３が対応し、貯蔵室が冷凍室６の場合には冷却ファンとして冷凍用冷却ファン１９が対応している。
【００１７】
本実施形態の冷蔵用冷却ファン１３および冷凍用冷却ファン１９の回転数は、貯蔵室内の温度範囲に対応して、もっとも回転数が高い「高速」、「高速」よりも回転数が低い「中速」、「中速」よりも回転数が低い「低速」、および回転数が「低速」よりも低いまたは回転数がゼロである「停止」の４段階に分けられている。すなわち、冷蔵用冷却ファン１３および冷凍用冷却ファン１９は、回転数が上位の順から「高速」、「中速」、「低速」、「停止」の４段階のうちのいずれかの回転数で駆動する（「停止」の場合は、回転数がゼロで、停止していることもある）。本実施形態の冷蔵用冷却ファン１３および冷凍用冷却ファン１９は、貯蔵室内の温度が高いほど高回転の段階で駆動する。冷蔵用冷却ファン１３の「高速」と冷凍用冷却ファン１９の「高速」は、回転数が同じあっても異なっていてもよい。同様に、冷蔵用冷却ファン１３の「中速」と冷凍用冷却ファン１９の「中速」、冷蔵用冷却ファン１３の「低速」と冷凍用冷却ファン１９の「低速」、冷蔵用冷却ファン１３の「停止」（回転している場合）と冷凍用冷却ファン１９の「停止」（回転している場合）の回転数もそれぞれ同じであっても異なっていてもよい。
【００１８】
製氷室４および冷凍室６の側面には、冷凍用冷却ファン１９から供給された冷気を製氷室４および冷凍室６に供給するための図示しない冷気吹出口と、製氷室４および冷凍室６に供給された冷気を冷凍用冷却器室１７内に戻すための図示しない冷気吸込口とが形成されている。
【００１９】
冷凍室６の後方には、機械室２１が設けられている。機械室２１内には、図１に示すように、圧縮機２２、凝縮器２３、三方弁２４、機械室用ファン２５などが設けられている。圧縮機２２および凝縮器２３は、上述の冷蔵用冷却器１２と冷凍用冷却器１８とともに、貯蔵室内を循環する空気を冷却する周知の冷凍サイクル（図２参照）を構成している。
【００２０】
圧縮機２２は、図３に示すように、駆動源をなす圧縮機駆動モータ２２ａを有している。圧縮機２２の出力の大きさは、圧縮機駆動モータ２２ａの回転数の大きさで制御されている。圧縮機駆動モータ２２ａはブラシレスモータであり、この圧縮機駆動モータ２２ａの回転数の大きさは、図３に示すインバータ回路２２ｂから出力される周波数の大きさで制御されている。本実施形態では、図５に示すように、冷蔵室３内の温度および冷凍室６内の温度が高くなるほど、圧縮機２２の出力が直線的に高くなるように制御されている。この圧縮機２２の出力の制御については、後で詳述する。
【００２１】
三方弁２４は、図２に示すように、凝縮器２３で凝縮された冷媒を冷蔵用冷却器１２および冷凍用冷却器１８のうちのいずれか一方あるいは双方へ供給するための弁である。三方弁２４と冷蔵用冷却器１２との間には冷媒を減圧するキャピラリチューブ２６が設けられ、三方弁２４と冷凍用冷却器１８との間にも冷媒を減圧するキャピラリチューブ２７が設けられている。この冷凍サイクルの冷蔵用冷却器１２および冷凍用冷却器１８によって冷却された空気（冷気）が各貯蔵室に供給されることにより、各貯蔵室に貯蔵された貯蔵食品は冷蔵あるいは冷凍保存される。
【００２２】
機械室用ファン２５は、凝縮器２３などを冷やすためのファンであり、図３に示す機械室用ファンモータ２５ａを有している。機械室用ファンモータ２５ａは一般的なモータであるが、回転数が変更可能なモータ、例えばブラシレスモータでもよい。例えは、圧縮機２２が高出力であるときに機械室用ファンモータ２５ａの回転数も高くする構成にして、凝縮器２３を最適に冷やす構成にしてもよい。
【００２３】
また、図１および図３に示すように、冷蔵室３の前面上部には、扉３ａの開閉を検出する冷蔵用扉スイッチ３１が設けられ、冷凍室６の前面上部には、扉６ａの開閉を検出する冷凍用扉スイッチ３２が設けられている。冷蔵用扉スイッチ３１および冷凍用扉スイッチ３２は、各扉３ａ、６ａの開閉によってオンオフするスイッチであり、例えばマイクロスイッチやリードスイッチなどである。冷蔵用扉スイッチ３１および冷凍用扉スイッチ３２としてリードスイッチを用いた場合、扉３ａ、６ａの内部には、リードスイッチのオンオフを切り換えるための図示しないマグネットが設けられている。
【００２４】
冷蔵室３内のうち冷蔵室３の開口部からもっとも離れた位置、例えば冷蔵室３内の奥側下部でより好ましくは冷気吸込口近傍には、冷蔵室３内の温度を検出する温度検出手段である冷蔵用温度センサ３３が設けられている。また、冷凍室６内のうち冷凍室６の開口部からもっとも離れた位置、例えば冷凍室６内の奥側中央部でより好ましくは冷気吸込口近傍には、冷凍室６内の温度を検出する温度検出手段である冷凍用温度センサ３４が設けられている。冷蔵用温度センサ３３および冷凍用温度センサ３４は、例えばサーミスタである。
【００２５】
本実施形態では、図６に示すように、冷蔵室３の扉３ａが開くと冷蔵用扉スイッチ３１がオンとなるとともに冷蔵用冷却ファン１３もオンとなり、扉３ａが閉じると冷蔵用扉スイッチ３１がオフとなるとともに冷蔵用冷却ファン１３もオフとなる構成である。さらに、本実施形態では、冷凍室６の扉６ａが開くと冷凍用扉スイッチ３２がオンとなるとともに冷凍用冷却ファン１９もオンとなり、扉６ａが閉じると冷凍用扉スイッチ３２がオフとなるとともに冷凍用冷却ファン１９もオフとなる構成である。図６において、冷蔵用冷却ファン１３および冷凍用冷却ファン１９のオフとは、上述した「停止」のことであり、これらのファン１３、１９の回転数がゼロである場合または「低速」よりも低い回転数で駆動している場合である。
【００２６】
次に、冷蔵庫１の電気的なブロック線図について図３を参照して説明する。
制御手段である制御装置３５は、図示しないＣＰＵ、ＲＯＭおよびＲＡＭなどを有するマイクロコンピュータなどで構成されており、予めＲＯＭなどに記憶されているプログラムに基づいて冷蔵庫１の冷却運転を実行する。制御装置３５の入力端子には、冷蔵用扉スイッチ３１、冷凍用扉スイッチ３２、冷蔵用温度センサ３３、冷凍用温度センサ３４などの各種センサが接続されている。また、制御装置３５の出力端子には、インバータ回路１３ｂを介して冷蔵用冷却ファンモータ１３ａが接続され、インバータ回路１９ｂを介して冷凍用冷却ファンモータ１９ａが接続され、インバータ回路２２ｂを介して圧縮機駆動モータ２２ａが接続されている。さらに、制御装置３５の出力端子には、駆動回路２４ａを介して三方弁２４が接続され、駆動回路２５ｂを介して機械室用ファンモータ２５ａが接続されている。制御装置３５の入出力端子には、操作パネル７および記憶手段としての例えばＥＥＰＲＯＭ３６が接続されている。制御装置３５は、ＥＥＰＲＯＭ３６に各種のデータおよび各種センサからの情報を必要に応じて記憶し、ＥＥＰＲＯＭ３６から情報を適宜読み出している。
【００２７】
次に、上述の冷蔵庫１の冷却運転について説明する。
冷却運転には、「通常の冷却運転」と、通常の冷却運転以外の「強制冷却運転」とがある。
「通常の冷却運転」とは、圧縮機２２が所定の出力で安定的・周期的に駆動し、通常の冷凍サイクルを行う制御のことである。具体的には、制御装置３５は、「通常の冷却運転」が設定されると、まず、図５に示すように冷蔵用温度センサ３３の検出信号が設定下限値（設定下限の温度）に達したかを判断している。すなわち、制御装置３５は、冷蔵用温度センサ３３の検出温度に基づいて冷蔵室３内の温度が設定下限の温度よりも高い（冷蔵室３が温かい）と判断した場合には、冷媒が冷蔵用冷却器１２側に多く（所定量）流れるように三方弁２４の出口の開閉度合いを調整し、圧縮機駆動モータ２２ａの回転数を高くして圧縮機２２の出力を高くし、冷却運転、すなわち冷凍サイクルを実行する。これにより、多くの冷媒が冷蔵用冷却器１２に流れ、冷蔵用冷却器１２によって多くの冷気が生成される。この生成された冷気は、冷蔵用冷却ファン１３の駆動によって、冷気吹出口１５を介して冷蔵室３内および野菜室５内に供給され、これにより、冷蔵室３内および野菜室５内は早期に冷やされる。冷蔵室３内に供給された冷気は、背面パネル１４の図示しない冷気吸込口を介して冷蔵用冷却器室１１に戻される。
【００２８】
制御装置３５は、冷蔵用温度センサ３３の検出温度に基づいて冷蔵室３内の温度が設定下限の温度よりも低い（冷蔵室３内で貯蔵食品の冷蔵保存が可能となった）と判断した場合には、次に冷凍用温度センサ３４の検出信号が設定下限値（設定下限の温度）に達したかを判断する。そして、制御装置３５は、冷凍用温度センサ３４の検出温度に基づいて冷凍室６内の温度が設定下限の温度よりも高い（冷凍室６が温かい）と判断した場合、冷媒が冷凍用冷却器１８側に多く（所定量）流れるように三方弁２４の出口の開閉度合いを調整し、図５に示すように、圧縮機駆動モータ２２ａの回転数を高くして圧縮機２２の出力を高くし、冷凍サイクルを実行する。これにより、多くの冷媒が冷凍用冷却器１８に流れ、冷凍用冷却器１８によって多くの冷気が生成される。この生成された冷気は、冷凍用冷却ファン１９の駆動によって、図示しない冷気吹出口を介して製氷室４内および冷凍室６内に供給され、これにより、製氷室４内および冷凍室６内は早期に冷やされる。冷凍室６内に供給された冷気は、図示しない冷気吸込口を介して冷凍用冷却器室１７に戻される。
【００２９】
冷蔵用温度センサ３３および冷凍用温度センサ３４がともに設定下限の温度よりも低くなったとき（冷蔵室３内で貯蔵食品の冷蔵保存が可能になり、且つ冷凍室６内で貯蔵食品の冷凍保存が可能になったとき）は、制御装置３５は、圧縮機駆動モータ２２ａの回転数を低速にして圧縮機２２の出力を小さくさせる制御、あるいは圧縮機２２の圧縮機駆動モータ２２ａの回転数をゼロにして圧縮機２２を停止させる制御を行う。
【００３０】
また、制御装置３５は、「通常の冷却運転」において、冷蔵用温度センサ３３の検出温度に基づいて冷蔵用冷却ファンモータ１３ａの回転数を切換えて、冷蔵用冷却ファン１３を所定の回転数で駆動している。具体的には、制御装置３５は、冷蔵用冷却ファン１３を、冷蔵室３内の温度が高い場合に「高速」で駆動する制御を行ない、冷蔵室３内の温度が低くなるにつれて「中速」、「低速」、「停止」で駆動する制御を行う。また、制御装置３５は、冷蔵用扉スイッチ３１の検出信号に基づいて扉３ａが開いたと判断したときには、図６に示すように、冷蔵用冷却ファン１３を扉３ａが開いている間、すなわち冷蔵用扉スイッチ３１がオンの間、冷蔵用冷却ファン１３の冷蔵用冷却ファンモータ１３ａの回転数を「停止」にする制御を行う。また、後で詳述するが、制御装置３５は、冷蔵用扉スイッチ３１の検出信号に基づいて扉３ａが閉じたと判断したときには、冷蔵用冷却ファン１３を下位に設定された回転数、本実施形態では「低速」の回転数で所定時間駆動する制御を行う。
【００３１】
さらに、制御装置３５は、「通常の冷却運転」において、冷凍用温度センサ３４の検出温度に基づいて冷凍用冷却ファンモータ１９ａの回転数を切換えて、冷凍用冷却ファン１９を所定の回転数で駆動している。具体的には、制御装置３５は、冷凍用冷却ファン１９を、冷凍室６内の温度が高い場合に「高速」で駆動する制御を行ない、冷凍室６内の温度が低くなるにつれて「中速」、「低速」、「停止」で駆動する制御を行なっている。また、制御装置３５は、冷凍用扉スイッチ３２の検出信号に基づいて扉６ａが開いたと判断したときには、図６に示すように、冷凍用冷却ファン１９を扉６ａが開いている間、すなわち冷凍用扉スイッチ３２がオンの間、冷凍用冷却ファン１９の冷凍用冷却ファンモータ１９ａの回転数を「停止」にする制御を行う。また、後で詳述するが、制御装置３５は、冷凍用扉スイッチ３２の検出信号に基づいて扉６ａが閉じたと判断したときには、冷凍用冷却ファン１９を下位に設定された回転数、本実施形態では「高速」、「中速」、「低速」のうち下位である「低速」の回転数で所定時間駆動する制御を行う。
【００３２】
「強制冷却運転」は、「通常の冷却運転」とほぼ同様の冷凍サイクルの運転であるが、下記の点で「通常の冷却運転」と異なる。この「強制冷却運転」には、例えば「プルダウン制御」、「強制冷却」、「一気冷凍」、「熱もの冷凍」、「一気製氷」がある。「プルダウン制御」および「強制冷却」は、各種センサの信号に基づいて制御装置３５が自動で所定の冷却運転を行い、「一気冷凍」、「熱もの冷凍」および「一気製氷」は、使用者が操作パネル７を操作することにより、制御装置３５が操作パネル７からの設定信号に基づいて所定の冷却運転を行う。
【００３３】
「プルダウン制御」とは、冷蔵庫１の電源を入れた後において、貯蔵室内を冷蔵および冷凍可能な温度に達するまで自動で冷却する制御のことである。例えば購入した冷蔵庫１を設置し電源を入れると、貯蔵室内の温度は室温であるため、制御装置３５は、電源が入れられた後約３〜６時間自動で貯蔵室内を冷却する制御を行う。
【００３４】
「強制冷却」とは、貯蔵室内の温度が上限設定の温度以上に達したとき（貯蔵室が温かくなったとき）、貯蔵室内を冷蔵および冷凍可能な温度に達するまで自動で冷却する制御のことであり、「プルダウン制御」とほぼ同じ制御である。
【００３５】
「一気冷凍」とは、短時間で冷凍室６内を冷却する制御のことである。例えば冷蔵庫１の使用者が操作パネル７を操作して「一気冷凍」を選択すると、制御装置３５は、操作パネル７からの設定信号に基づいて冷凍室６内の温度が設定された温度に達するまで圧縮機２２の圧縮機駆動モータ２２ａを高回転で駆動して圧縮機２２の出力を大きくし、多くの冷媒を冷凍用冷却器１８に供給する制御を行う。これにより、短時間に冷凍用冷却器１８で多くの冷気が生成され、冷凍室６内は短時間で冷やされる。
【００３６】
「熱もの冷凍」とは、冷凍室６内に収容された温かい貯蔵食品などを冷凍する制御のことである。例えば冷蔵庫１の使用者が、冷凍室６内に温かい貯蔵食品を収容し、操作パネル７を操作して「熱もの冷凍」を選択すると、制御装置３５は、操作パネル７からの設定信号に基づいて冷凍室６内の温度が設定された温度に達するまで圧縮機２２の圧縮機駆動モータ２２ａを高回転で駆動して圧縮機２２の出力を大きくし、多くの冷媒を冷凍用冷却器１８に供給する制御を行う。これにより、短時間に冷凍用冷却器１８で多くの冷気が生成され、冷凍室６内は短時間で冷やされ、冷凍室６内に収容された温かい貯蔵食品は短時間で冷凍される。「熱もの冷凍」は、「一気冷却」とほぼ同じ制御であるが、「一気冷凍」よりも冷凍室６内を冷却する冷却速度が遅く、冷却時間が長い。
【００３７】
「一気製氷」とは、短時間で製氷室４内を冷却して、短時間で氷を生成する制御のことである。例えば冷蔵庫１の使用者が、操作パネル７を操作して「一気製氷」を選択すると、制御装置３５は、操作パネル７からの設定信号に基づいて圧縮機２２の圧縮機駆動モータ２２ａを高回転で駆動して圧縮機２２の出力を大きくし、多くの冷媒を冷凍用冷却器１８に供給する制御を行う。これにより、冷凍用冷却器１８によって多くの冷気が生成され、生成された多くの冷気は製氷室４内に供給されるようになり、製氷室４内は短時間で冷やされ、短時間で氷を生成することが可能となる。
【００３８】
次に、本実施形態の冷蔵庫１の冷却運転中の冷蔵用冷却ファン１３および冷凍用冷却ファン１９の制御について図７〜図９を参照して説明する。ここで、圧縮機２２の制御については、フローチャートで図示していないが、制御装置３５は、冷却運転が行われている間、上述したように圧縮機２２を冷蔵用温度センサ３３および冷凍用温度センサ３４の検出信号に基づいて所定の出力で駆動する。例えば、制御装置３５は、冷蔵用温度センサ３３および冷凍用温度センサ３４の検出信号に基づいて冷蔵室３内の温度および冷凍室６内の温度が高いと判断したとき、圧縮機２２の出力を高くする制御をしている。
【００３９】
まず、使用者が冷蔵庫１の図示しない電源を入れることにより、制御装置３５は、図７に示す冷却運転の制御を開始する（スタート）。
制御装置３５は、まず、操作パネル７で「通常の冷却運転」または「強制冷却運転」のいずれかの「冷却運転」の選択がされたかを、操作パネル７からの設定信号に基づいて判断する（ステップＳ１）。制御装置３５は、「冷却運転」の選択がされたと判断した場合には（ステップＳ１：ＹＥＳ）、ステップＳ２に移行し、操作パネル７の「冷却運転」の選択がないと判断した場合には（ステップＳ１：ＮＯ）、操作パネル７の「冷却運転」の選択がされるまで待機状態となる。
【００４０】
制御装置３５は、ステップＳ２で、操作パネル７の操作された内容が操作パネル７からの設定信号に基づいて「通常の冷却運転」であるか、または「強制冷却運転」のどちらであるかを判断する。制御装置３５は、「通常の冷却運転」が選択されたと判断した場合には（ステップＳ２：ＹＥＳ）、「通常の冷却運転」の制御を行う（ステップＳ３）。「通常の冷却運転」は、例えば使用者が操作パネル７で「通常の冷却運転の条件変更」または「強制冷却運転」を設定するまで繰り返し行われる（ステップＳ４：ＮＯ）。「通常の冷却運転の条件変更」とは、例えば貯蔵室の設定温度の変更、節電モードなどのモードの切り替えなどである。一方、使用者が「通常の冷却運転」中に操作パネル７を操作して「通常の冷却運転の条件変更」または「強制冷却運転」を選択した場合には（ステップＳ４：ＹＥＳ）、制御装置３５は、操作パネル７からの設定信号に基づきステップＳ２に移行する。
【００４１】
制御装置３５は、ステップＳ２で「通常の冷却運転の条件変更」が選択されたと判断した場合には（ステップＳ２：ＹＥＳ）、その変更条件に基づいて「通常の冷却運転」を行う（ステップＳ３）。また、制御装置３５は、ステップＳ２で「強制冷却運転」が選択されたと判断した場合には（ステップＳ２：ＮＯ）、「強制冷却運転」の制御を行う（ステップＳ５）。「強制冷却運転」は、例えば「強制冷却運転」の制御が終了するまで、あるいは使用者が操作パネル７で「強制冷却運転」の強制停止を選択するまで行われる（ステップＳ６：ＮＯ）。制御装置３５は、「強制冷却運転」が終了あるいは「強制冷却運転」の強制停止の操作がされたと判断した場合には（ステップＳ６：ＹＥＳ）、「通常の冷却運転」の制御を行う（ステップＳ３）。
【００４２】
ここで、制御装置３５は、図示はしないが、ステップＳ３の「通常の冷却運転」中、あるいはステップＳ５の「強制冷却運転」中おいて、扉３ａ、６ａが開閉されたかを、冷蔵用扉スイッチ３１からの検出信号および冷凍用扉スイッチ３２からの検出信号によって随時割り込みにより判断している。また、制御装置３５は、扉３ａ、６ａが開かれたときには、扉３ａ、６ａが開かれた瞬時に冷却運転の種類（「通常の冷却運転」、「強制冷却運転」である「プルダウン制御」、「強制冷却」、「一気冷凍」、「熱もの冷凍」、「一気製氷」などの種類）、冷蔵用冷却ファン１３の冷蔵用冷却ファンモータ１３ａの回転数、冷凍用冷却ファン１９の冷凍用冷却ファンモータ１９ａの回転数、機械室用ファン２５の機械室用ファンモータ２５ａの回転数などの冷却運転中の状態のデータをＥＥＰＲＯＭ３６に記憶する。すなわち、これらのデータは、扉３ａ、６ａが開かれる直前のデータである。言い換えると、制御装置３５が、冷蔵用扉スイッチ３１からの検出信号および冷凍用扉スイッチ３２からの検出信号に基づいて扉３ａまたは扉６ａの少なくともいずれか一方が開いたと判断した場合、ＥＥＰＲＯＭ３６には扉３ａ、６ａが開く直前の冷却運転中の状態のデータが記憶された状態となっている。さらに、制御装置３５は、扉３ａが開いている場合には、冷蔵用冷却ファン１３の冷蔵用冷却ファンモータ１３ａの回転数を扉３ａが開いている間「停止」させる制御を行い、一方、扉６ａが開いている場合には、冷凍用冷却ファン１９の冷凍用冷却ファンモータ１９ａの回転数を扉６ａが開いている間「停止」させる制御を行う。このとき、制御装置３５は、扉３ａ、６ａが閉じられている側の冷蔵用冷却ファン１３または冷凍用冷却ファン１９を引き続き駆動し、圧縮機２２の出力すなわち圧縮機２２の圧縮機駆動モータ２２ａの回転数を貯蔵室の温度、具体的には冷蔵用温度センサ３３および冷凍用温度センサ３４に基づいて変える制御を行っている。
【００４３】
次に、制御装置３５は、冷蔵用扉スイッチ３１からの検出信号および冷凍用扉スイッチ３２からの検出信号に基づいて扉３ａ、６ａが閉じたと判断すると、図８に示す温度調整判定制御を行う。
温度調整判定制御において、制御装置３５は、ＥＥＰＲＯＭ３６に記憶されている扉３ａ、６ａが開く直前の冷却運転中の状態のデータ、本実施形態では扉３ａ、６ａが開く直前の冷却運転の種類、冷蔵用冷却ファン１３の冷蔵用冷却ファンモータ１３ａの回転数、冷凍用冷却ファン１９の冷凍用冷却ファンモータ１９ａの回転数のデータを読み出し、扉３ａ、６ａが開いたときに「プルダウン制御」中であったかを判断する（ステップＳ７）。扉３ａ、６ａが開いたときに「プルダウン制御」中であった場合には（ステップＳ７：ＹＥＳ）、制御装置３５は、扉３ａ、６ａが閉じられた後に「プルダウン制御」を続行する制御を行う（リターン）。
【００４４】
次に、制御装置３５は、扉３ａ、６ａが開いたときに「プルダウン制御」中でなかったと判断した場合には（ステップＳ７：ＮＯ）、扉３ａ、６ａが開いたときに「強制冷却」中であったかを判断する（ステップＳ８）。扉３ａ、６ａが開いたときに「強制冷却」中であった場合には（ステップＳ８：ＹＥＳ）、制御装置３５は、扉３ａ、６ａが閉じられた後に「強制冷却」を続行する制御を行う（リターン）。
【００４５】
次に、制御装置３５は、扉３ａ、６ａが開いたときに「強制冷却」中でなかった場合には（ステップＳ８：ＮＯ）、冷蔵室３の扉３ａが開閉したか、または冷凍室６の扉６ａが開閉かを判断する（ステップＳ９）。制御装置３５は、冷蔵用扉スイッチ３１および冷凍用扉スイッチ３２の検出信号に基づいて扉６ａが開いた状態から閉じた状態になったと判断した場合には（ステップＳ９：ＮＯ）、扉６ａが開いたときに「強制冷却運転」の「一気冷凍」中、「熱もの冷凍」中あるいは「一気製氷」中であったかを判断する（ステップＳ１０〜１２）。制御装置３５は、これらの「強制冷却運転」中に扉６ａが開いたと判断した場合には（ステップＳ１０：ＹＥＳ、ステップＳ１１：ＹＥＳ、ステップＳ１２：ＹＥＳ）、扉６ａが閉じられた後に、扉６ａが開く直前の各種の「強制冷却運転」を続行する制御を行う（リターン）。
【００４６】
次に、制御装置３５は、扉６ａが開いたときに「強制冷却運転」の「一気冷凍」中、「熱もの冷凍」中あるいは「一気製氷」中でなかった場合（ステップＳ１０〜１２においてすべてＮＯ）、または冷蔵室３の扉３ａが開閉された場合には（ステップＳ９：ＹＥＳ）、温度調整制御を行う（ステップＳ１３）。
【００４７】
本実施形態の温度調整制御を図９に示す。温度調整制御では、制御装置３５は、冷蔵室３の扉３ａが開閉したか、または冷凍室６の扉６ａが開閉かを判断する（ステップＳ２１）。制御装置３５は、冷蔵室３の扉３ａが開いた状態から閉じた状態になったと判断した場合には（ステップＳ２１：ＹＥＳ）、扉３ａが開く直前の冷蔵用冷却ファン１３の冷蔵用冷却ファンモータ１３ａが「高速」、「中速」、「低速」、「停止」のいずれであったかをＥＥＰＲＯＭ３６に記憶されているデータに基づいて判断する（ステップＳ２２）。扉３ａが開く直前に冷蔵用冷却ファンモータ１３ａが「高速」、「中速」、「低速」のいずれかで回転していた場合には（ステップＳ２２：ＹＥＳ）、制御装置３５は、冷蔵用冷却ファン１３の冷蔵用冷却ファンモータ１３ａを下位に設定された「低速」で所定時間駆動し（ステップＳ２３）、所定時間経過後に温度調整制御を終了する（リターン）。扉３ａが開く直前に冷蔵用冷却ファンモータ１３ａが「停止」であった場合には（ステップＳ２２：ＮＯ）、制御装置３５は、温度調整制御を終了し、冷蔵用冷却ファンモータ１３ａの「停止」を続行する制御を行う（リターン）。
【００４８】
制御装置３５は、ステップＳ２１において、冷凍室６の扉６ａが開いた状態から閉じた状態になったと判断すると（ステップＳ２１：ＮＯ）、扉６ａが開く直前の冷凍用冷却ファン１９の冷凍用冷却ファンモータ１９ａが「高速」、「中速」、「低速」のいずれであったかをＥＥＰＲＯＭ３６に記憶されているデータに基づいて判断する（ステップＳ２４）。扉６ａが開く直前に冷凍用冷却ファンモータ１９ａが「高速」、「中速」、「低速」のいずれかで回転していた場合には（ステップＳ２４：ＹＥＳ）、制御装置３５は、冷凍用冷却ファン１９の冷凍用冷却ファンモータ１９ａを「低速」で所定時間駆動し（ステップＳ２５）、所定時間経過後に温度調整制御を終了する（リターン）。扉６ａが開く直前に冷凍用冷却ファンモータ１９ａが「停止」であった場合には（ステップＳ２４：ＮＯ）、制御装置３５は、温度調整制御を終了し、冷凍用冷却ファンモータ１９ａの「停止」を続行する制御を行う（リターン）。
【００４９】
次に、上記実施形態の効果について説明する。
冷蔵用冷却ファン１３の冷蔵用冷却ファンモータ１３ａは、冷蔵室３の扉３ａが開いている間「停止」しているので、扉３ａが開いているときに冷蔵室３内の冷気が冷蔵室３外に放出してしまうことを極力防ぐことができる。
【００５０】
そして、開いていた扉３ａが閉じられると、冷蔵用冷却ファン１３の冷蔵用冷却ファンモータ１３ａは「高速」、「中速」よりも下位に設定された回転数である「低速」で駆動するので、冷蔵室３内に流入した暖気は冷蔵室３内を遅い速度で移動して冷蔵室３内で拡散しやすく、冷蔵室３内の冷気によって冷やされやすくなる。その結果、冷蔵室３内の温度を検出する冷蔵用温度センサ３３は、冷蔵室３内に流入したときの暖気の温度を一気に検出することはなく、開閉遅れをもって該温度よりも低い温度を検出する。したがって、扉３ａが閉じられた後において、冷蔵室３内の温度に基づいて駆動する圧縮機２２の出力は流入した暖気の温度に応じた高さとはならず、これにより、冷蔵室３内の貯蔵食品が冷え過ぎてしまうことを防止することができる。
【００５１】
また、冷凍用冷却ファン１９の冷凍用冷却ファンモータ１９ａは、冷凍室６の扉６ａが開いている間「停止」しているので、扉６ａが開いているときに冷凍室６内の冷気が冷凍室６外に放出してしまうことを極力防ぐことができる。
【００５２】
そして、開いていた扉６ａが閉じられると、冷凍用冷却ファン１９の冷凍用冷却ファンモータ１９ａは「高速」、「中速」よりも下位に設定された回転数である「低速」で駆動するので、冷凍室６内に流入した暖気は冷凍室６内を遅い速度で移動するとともに冷凍室６内で拡散しやすく、冷凍室６内の冷気によって冷やされやすくなる。その結果、冷凍室６内の温度を検出する冷凍用温度センサ３４は、冷凍室６内に流入したときの暖気の温度を一気に検出することはなく、開閉遅れをもって該温度よりも低い温度を検出する。したがって、扉６ａが閉じられた後において、冷凍室６内の温度に基づいて駆動する圧縮機２２の出力は流入した暖気の温度に応じた高さとはならず、これにより、冷凍室６内の貯蔵食品が冷え過ぎてしまうことを防止することができる。
【００５３】
また、上述したように、貯蔵室（冷蔵室３、冷凍室６）内に流入した暖気は、貯蔵室内を遅い速度で移動するとともに貯蔵室内で拡散しやすく、貯蔵室内の冷気で冷やされる。そのため、暖気が冷蔵用冷却器室１１内または冷凍用冷却器室１７内に一気に流入してしまうことを極力防ぐことができ、これにより、冷蔵用冷却器室１１内または冷凍用冷却器室１７内に暖気が一気に冷却されることによる結露の発生を極力防止することができる。
【００５４】
制御装置３５は、「強制冷却運転」時に扉３ａ、６ａが開閉され冷蔵用扉スイッチ３１および冷凍用扉スイッチ３２の検出信号に基づいて扉３ａ、６ａが閉じたと判断したときには、「強制冷却運転」を優先して続行する制御を行う。これにより、「強制冷却運転」をできるだけ早く終了させることができる。
【００５５】
（第２実施形態）
次に、本発明の第２の実施形態を図１０を参照して説明する。尚、上記第１の実施形態と実質的に同一内容については、その内容の説明は省略する。
第２の実施形態の制御装置３５は、図８に示す温度調整制御を行う場合（ステップＳ１３）、第１の実施形態の温度調整制御（図９参照）の代わりに、図１０に示す温度調整制御を実行する。
【００５６】
第２の実施形態の温度調整制御において、制御装置３５は、冷蔵室３の扉３ａが開閉したか、または冷凍室６の扉６ａが開閉かを判断する（ステップＳ３１）。制御装置３５は、冷蔵室３の扉３ａが開いた状態から閉じた状態になったと判断した場合には（ステップＳ３１：ＹＥＳ）、扉３ａが開く直前の冷蔵用冷却ファン１３の冷蔵用冷却ファンモータ１３ａが「高速」、「中速」、「低速」、「停止」のいずれであったかを判断する（ステップＳ３２、３３、３５）。すなわち、扉３ａが開く直前に冷蔵用冷却ファンモータ１３ａが「高速」、「中速」、「低速」のいずれかで回転していた場合には（ステップＳ３２：ＹＥＳ）、制御装置３５はステップＳ３３に移行する。扉３ａが開く直前に冷蔵用冷却ファンモータ１３ａが「停止」であった場合には（ステップＳ３２：ＮＯ）、制御装置３５は、温度調整制御を終了し、冷蔵用冷却ファンモータ１３ａの「停止」を続行する制御を行う（リターン）。
【００５７】
ステップＳ３３では、制御装置３５は、扉３ａが開く直前の冷蔵用冷却ファンモータ１３ａが「高速」で回転していたか否かを判断する。扉３ａが開く直前に冷蔵用冷却ファンモータ１３ａが「高速」で回転していた場合には（ステップＳ３３：ＹＥＳ）、制御装置３５は、冷蔵用冷却ファンモータ１３ａを「高速」よりも下位の回転数、この場合「高速」よりも一段階回転数が低い「中速」で所定時間駆動し（ステップＳ３４）、所定時間経過後に温度調整制御を終了する（リターン）。扉３ａが開く直前に冷蔵用冷却ファンモータ１３ａが「高速」以外で回転していた場合、すなわち冷蔵用冷却ファンモータ１３ａが「中速」または「低速」で回転していた場合には（ステップＳ３３：ＮＯ）、制御装置３５は、ステップＳ３５に移行する。
【００５８】
ステップＳ３５では、制御装置３５は、扉３ａが開く直前の冷蔵用冷却ファンモータ１３ａが「中速」で回転していたか否かを判断する。扉３ａが開く直前に冷蔵用冷却ファンモータ１３ａが「中速」で回転していた場合には（ステップＳ３５：ＹＥＳ）、制御装置３５は、冷蔵用冷却ファンモータ１３ａを「中速」よりも下位の回転数、この場合「中速」よりも一段階回転数が低い「低速」で所定時間駆動し（ステップＳ３６）、所定時間経過後に温度調整制御を終了する（リターン）。扉３ａが開く直前に冷蔵用冷却ファンモータ１３ａが「中速」でない場合、すなわち「低速」で回転していた場合には（ステップＳ３５：ＮＯ）、制御装置３５は、冷蔵用冷却ファンモータ１３ａを「低速」で所定時間駆動あるいは所定時間「停止」にして（ステップＳ３７）、所定時間経過後に温度調整制御を終了する（リターン）。
【００５９】
また、制御装置３５は、ステップＳ３１において、冷凍室６の扉６ａが開いた状態から閉じた状態になったと判断した場合には（ステップＳ３１：ＮＯ）、扉６ａが開く直前の冷凍用冷却ファン１９の冷凍用冷却ファンモータ１９ａが「高速」、「中速」、「低速」、「停止」のいずれでかったかを判断する（ステップＳ３８、３９、４１）。すなわち、扉６ａが開く直前に冷凍用冷却ファンモータ１９ａが「高速」、「中速」、「低速」のいずれかで回転していた場合には（ステップＳ３８：ＹＥＳ）、制御装置３５はステップＳ３９に移行する。扉６ａが開く直前に冷凍用冷却ファンモータ１９ａが「停止」であった場合には（ステップＳ３８：ＮＯ）、制御装置３５は、温度調整制御を終了し、冷凍用冷却ファンモータ１９ａの「停止」を続行する制御を行う（リターン）。
【００６０】
ステップＳ３９では、制御装置３５は、扉６ａが開く直前の冷凍用冷却ファンモータ１９ａが「高速」で回転していたか否かを判断する（ステップＳ３９）。扉６ａが開く直前に冷凍用冷却ファンモータ１９ａが「高速」で回転していた場合には（ステップＳ３９：ＹＥＳ）、制御装置３５は、冷凍用冷却ファンモータ１９ａを「高速」よりも下位の回転数、この場合「高速」よりも一段階回転数が低い「中速」で所定時間駆動し（ステップＳ４０）、所定時間経過後に温度調整制御を終了する（リターン）。扉６ａが開く直前に冷凍用冷却ファンモータ１９ａが「高速」以外で回転していた場合、すなわち冷凍用冷却ファンモータ１９ａが「中速」または「低速」で回転していた場合には（ステップＳ３９：ＮＯ）、制御装置３５は、ステップＳ４１に移行する。
【００６１】
ステップＳ４１では、制御装置３５は、扉６ａが開く直前の冷凍用冷却ファンモータ１９ａが「中速」で回転していたか否かを判断する。扉６ａが開く直前に冷凍用冷却ファンモータ１９ａが「中速」で回転していた場合には（ステップＳ４１：ＹＥＳ）、制御装置３５は、冷凍用冷却ファンモータ１９ａを「中速」よりも下位の回転数、この場合「中速」よりも一段階回転数が低い「低速」で所定時間駆動し（ステップＳ４２）、所定時間経過後に温度調整制御を終了する（リターン）。扉６ａが開く直前に冷凍用冷却ファンモータ１９ａが「中速」でない場合、すなわち「低速」で回転していた場合には（ステップＳ４１：ＮＯ）、制御装置３５は、冷凍用冷却ファンモータ１９ａを「低速」で所定時間駆動あるいは所定時間「停止」にして（ステップＳ４３）、所定時間経過後に温度調整制御を終了する（リターン）。
【００６２】
次に、上記本実施形態の効果について説明する。
本実施形態においては、開いていた扉３ａが閉じられると、冷蔵用冷却ファン１３の冷蔵用冷却ファンモータ１３ａは扉３ａが開く直前の回転数よりも下位に設定された回転数、本実施形態では扉３ａが開く直前よりも一段階低い回転数で所定時間駆動するので、冷蔵室３内に流入した暖気は冷蔵室３内を遅い速度で移動して冷蔵室３内で拡散しやすく、冷蔵室３内の冷気によって冷やされやすくなる。その結果、冷蔵室３内の温度を検出する冷蔵用温度センサ３３は、冷蔵室３内に流入したときの暖気の温度を一気に検出することはなく、開閉遅れをもって該温度よりも低い温度を検出する。したがって、扉３ａが閉じられた後において、冷蔵室３内の温度に基づいて駆動する圧縮機２２の出力は流入した暖気の温度に応じた高さとはならず、これにより、冷蔵室３内の貯蔵食品が冷え過ぎてしまうことを防止することができる。
【００６３】
また、開いていた扉６ａが閉じられると冷凍用冷却ファン１９の冷凍用冷却ファンモータ１９ａは扉６ａが開く直前の回転数よりも下位に設定された回転数、本実施形態では扉６ａが開く直前よりも一段階低い回転数で所定時間駆動するので、冷凍室６内に流入した暖気は冷凍室６内を遅い速度で移動するとともに冷凍室６内で拡散しやすく、冷凍室６内の冷気によって冷やされやすくなる。その結果、冷凍室６内の温度を検出する冷凍用温度センサ３４は、冷凍室６内に流入したときの暖気の温度を一気に検出することはなく、開閉遅れをもって該温度よりも低い温度を検出する。したがって、扉６ａが閉じられた後において、冷凍室６内の温度に基づいて駆動する圧縮機２２の出力は流入した暖気の温度に応じた高さとはならず、これにより、冷凍室６内の貯蔵食品が冷え過ぎてしまうことを防止することができる。
その他、第２の実施形態の効果は、第１の実施形態と同様の効果を奏する。
【００６４】
尚、本発明は上記し且つ図面に示す実施形態に限定されず、次のような変形、拡張が可能である。
冷蔵室３の扉３ａまたは冷凍室６の扉６ａのうち一方の扉が先に開いて、この一方の扉が開いているときに他方の扉が開いた場合、あるいは扉３ａ、６ａが同時に開いた場合においては、予め決めておいた扉の閉動作に基づいて温度調整判定制御および温度調整制御を優先して実行してもよい。例えば、最初に開いたと判断した扉の開閉に基づいて、第１または第２の実施形態の制御を行うようにしてもよい。
【００６５】
第１および第２の実施形態では、冷蔵用冷却ファン１３の冷蔵用冷却ファンモータ１３ａおよび冷凍用冷却ファン１９の冷凍用冷却ファンモータ１９ａの回転数が、「高速」、「中速」、「低速」、「停止」の４段階として説明した。しかし、これらの回転数は、３段階以下あるいは５段階以上に分けてもよい。また、これらの回転数が３段階以上に分けられている場合であって扉３ａ、６ａが閉じられた時に第２の実施形態の制御を行う場合には、扉３ａ、６ａが開く直前の回転数の段階よりも複数段階低い回転数で所定時間駆動する制御を行ってもよい。また、冷蔵用冷却ファン１３の冷蔵用冷却ファンモータ１３ａおよび冷凍用冷却ファン１９の冷凍用冷却ファンモータ１９ａの回転数は、貯蔵室の温度に対して比例する関係で制御してもよい。
【００６６】
冷蔵用温度センサ３３は冷蔵用冷却器室１１内に設けてもよく、冷蔵用冷却ファン１３の風下に設けることがより好ましい。また、冷凍用温度センサ３４は冷凍用冷却器室１７内に設けてもよく、冷凍用冷却ファン１９の風下に設けることがより好ましい。
【００６７】
冷凍サイクルは、一つの冷却器を冷蔵用および冷凍用に共用する構成であってもよい。
記憶手段として、ＥＥＰＲＯＭ３６を用いて説明したが、ＲＡＭやその他の記憶媒体を用いてもよい。
【００６８】
第１および第２の実施形態では、冷蔵用扉スイッチ３１および冷凍用扉スイッチ３２を用いて説明したが、製氷室４の扉４ａの開閉を検出する扉スイッチ、野菜室５の扉５ａの開閉を検出する扉スイッチを設け、また、製氷室４内および野菜室５内に温度センサを設けて、第１および第２の実施形態の制御を行うようにしてもよい。
【００６９】
第１および第２の実施形態では、貯蔵室として、冷蔵室３、製氷室４、野菜室５、冷凍室６を備える冷蔵庫１を用いて説明したが、これらの以外の貯蔵室を備えた冷蔵庫、例えば冷蔵および冷凍に任意に切り替えることができる切換え室や、第２の冷凍室をさらに設けた冷蔵庫にも適用できる。この場合、切換え室や第２の冷凍室の扉の開閉を検出する扉スイッチを設け、これらの切換え室内や第２の冷凍室内に温度センサを設ける必要がある。
その他、本発明の要旨を逸脱しない範囲内で適宜変更して実施し得る。
【符号の説明】
【００７０】
図面中、１は冷蔵庫、３は冷蔵室（貯蔵室）、４は製氷室（貯蔵室）、５は野菜室（貯蔵室）、６は冷凍室（貯蔵室）、３ａ，４ａ，５ａ，６ａは扉、７は操作パネル、１２は冷蔵用冷却器（冷却器）、１３は冷蔵用冷却ファン（冷却ファン）、１８は冷凍用冷却器（冷却器）、１９は冷凍用冷却ファン（冷却ファン）、２２は圧縮機、３１は冷蔵用扉スイッチ（扉スイッチ）、３２は冷凍用扉スイッチ（扉スイッチ）、３３は冷蔵用温度スイッチ（温度検出手段）、３４は冷凍用温度センサ（温度検出手段）、３５は制御装置（制御手段）を示す。
【図１】
2011153788.tif 000003
【図２】
2011153788.tif 000004
【図３】
2011153788.tif 000005
【図４】
2011153788.tif 000006
【図５】
2011153788.tif 000007
【図６】
2011153788.tif 000008
【図７】
2011153788.tif 000009
【図８】
2011153788.tif 000010
【図９】
2011153788.tif 000011
【図１０】
2011153788.tif 000012